(57)【特許請求の範囲】
【請求項１】
処置手段を備えた内視鏡用モジュールと、この内視鏡用モジュールを内視鏡挿入部の先端部に着脱自在に取り付け可能な内視鏡とを有する内視鏡システムにおいて、
前記内視鏡用モジュールは、
内視鏡先端部を外嵌配置する内部空間部を有するモジュール本体と、
先端側に処置又は検査用の処置手段を有し、後端側にモジュール側接続具を設け、このモジュール側接続部の基端部に係合部を有して、前記モジュール本体に対して進退自在に設けられたモジュールと、
を備え、
内視鏡は、
挿入部先端面に開口する操作用チャンネルと、
前記操作用チャンネル内に進退自在に挿入した、前記内視鏡用モジュールのモジュール側接続具を配置する内視鏡側接続具と、
前記内視鏡側接続具から後方側に延出され挿入部内を挿通して内視鏡操作部のワイヤ操作部に接続される伝達ワイヤと、
前記内視鏡側接続具に設けて前記モジュール側接続具の基端部に設けられている係合部に係合する被係合部と、
を備え、
たことを特徴とする内視鏡システム。
【請求項２】
前記内視鏡用モジュールは、前記モジュール本体に対して進退自在に配置されて、前記処置手段及びモジュール側接続具が進退自在に挿通配置される処置用操作チューブと、この処置用操作チューブの基端部に設けた連結部材と、を有していることを特徴とする請求項１に記載の内視鏡システム。
【請求項３】
前記連結部材は、前記処置用操作チューブの基端部に先端部が固定され基端部内周面側に端面から先端側に向かって徐々に細径となるテーパー部を設けて構成されていることを特徴とする請求項２記載の内視鏡システム。
【請求項４】
前記モジュール本体は、少なくとも本体表面を絶縁体で構成したことを特徴とする請求項１に記載の内視鏡システム。
【請求項５】
前記操作用チャンネル内に進退自在に挿入した、前記内視鏡用モジュールの処置用操作チューブの基端部の連結部材を配置する内視鏡側接続具及び、この内視鏡側接続具から後方に延出され挿入部内を挿通して内視鏡操作部のワイヤ操作部に接続される伝達ワイヤを、進退自在に配置した操作チューブが設けられ、この操作チューブの基端側及び前記伝達ワイヤをそれぞれ前記ワイヤ操作部に接続し、それぞれを独立して進退操作可能にしたことを特徴とする請求項１に記載の内視鏡システム。
【発明の詳細な説明】
【０００１】
【発明の属する技術分野】
本発明は、内視鏡検査や内視鏡下手術において使用する内視鏡と、処置用の器材とを備えた内視鏡システムに関する。
【０００２】
【従来の技術】
従来より、細長の挿入部を体腔内に挿入することにより、体腔内臓器などを観察したり、必要に応じて処置用チャンネル内に挿通した処置用の器材（処置具とも記載する）を用いて各種治療処置のできる医療用の内視鏡が広く利用されている。
【０００３】
前記処置用の器材は、内視鏡の処置具用チャンネルの直径寸法が細径（３ｍｍ程度）で長尺（２ｍ程度）な管腔内に挿通可能なように細長な構造になっている。このため、この細長な処置用の器材を内視鏡の処置用チャンネルに挿入する際、折れたり、破損したりするおそれがあるので、医療者は処置用の器材を処置用チャンネルに挿入するために細心の注意を払わなければならなかった。
【０００４】
例えば、特開昭６４−８０３３５号公報には前記処置具の挿入時の破損を防止するため、処置用の器材に適度な弾力性を有する部材を用いたり、先端形状を滑らかにすることで挿入性を向上させるようにした内視鏡が示されている。
【０００５】
また、経内視鏡的に処置を行う場合、内視鏡と処置具とが独立しているため、医療者は両手を用いて、複雑な内視鏡の操作と処置具の操作とを行ったり、介添え者を含む数人で内視鏡と処置具との操作を行わなければならないので、熟練した操作技術を必要にしていた。
【０００６】
【発明が解決しようとする課題】
しかしながら、前記特開昭６４−８０３３５号公報に示されているように材料的な改善や形状を曲面にすることでは根本的な解決にならず、特に特殊な材料を使用する場合には材料の入手が困難なことや製造方法が複雑になって大量生産するには不向きで、処置具が高価になるなどといった問題があった。
【０００７】
また、処置後に、細長な処置用の器材の洗滌、消毒などの後処理を行う際、洗滌し難く、後処理に時間がかかるという問題があると共に、後処理後に処置具を保管、管理をする際、処置具が細長であるため保管スペースが大きくなるという問題があった。
【０００８】
本発明は上記事情に鑑みてなされたものであり、様々な処置具を備えて構成された内視鏡用モジュールを１つの内視鏡に取り付けて使用することが可能で、処置具の破損を防止し、内視鏡下での操作が容易で、小さなスペースで保管が可能な内視鏡システムを提供することを目的にしている。
【０００９】
【課題を解決するための手段】
前記目的を達成するための本発明の一態様による内視鏡システムは、  処置手段を備えた内視鏡用モジュールと、この内視鏡用モジュールを内視鏡挿入部の先端部に着脱自在に取り付け可能な内視鏡とを有する内視鏡システムにおいて、
前記内視鏡用モジュールは、内視鏡先端部を外嵌配置する内部空間部を有するモジュール本体と、先端側に処置又は検査用の処置手段を有し、後端側にモジュール側接続具を設け、このモジュール側接続部の基端部に係合部を有して、前記モジュール本体に対して進退自在に設けられたモジュールと、を備え、
内視鏡は、挿入部先端面に開口する操作用チャンネルと、前記操作用チャンネル内に進退自在に挿入した、前記内視鏡用モジュールのモジュール側接続具を配置する内視鏡側接続具と、前記内視鏡側接続具から後方側に延出され挿入部内を挿通して内視鏡操作部のワイヤ操作部に接続される伝達ワイヤと、 前記内視鏡側接続具に設けて前記モジュール側接続具の基端部に設けられている係合部に係合する被係合部と、を備えている。
【００１０】
この構成によれば、様々な処置手段を備えた複数種類の内視鏡用モジュールの中から選択した内視鏡用モジュールを内視鏡挿入部の先端部に取り付けることによって、処置手段に対応する内視鏡的処置が行え、また、異なる他の処置手段を備えた内視鏡用モジュールを内視鏡挿入部の先端部に取り付けることによって、その処置手段に対応する内視鏡的処置が行える。そして、内視鏡挿入部から内視鏡用モジュールを取り外した状態で洗滌・消毒や保管が可能である。
【００１１】
【発明の実施の形態】
以下、図面を参照して本発明の実施の形態を説明する。
図１ないし図５は本発明の第１実施形態に係り、図１は内視鏡システムの概略構成を示す説明図、図２は内視鏡用モジュールの１つである切開モジュールを示す説明図、図３は内視鏡用モジュールの１つである把持モジュールを示す説明図、図４は内視鏡用モジュールの１つである生検モジュールを示す説明図、図５は生検モジュールの作用の１例を示す説明図である。
【００１２】
図１に示すように本実施形態の内視鏡システム１は、電子内視鏡（以下内視鏡と記載する）２，光源装置３，ビデオプロセッサ４，モニタ５及び処置手段である処置具を備え前記内視鏡２に着脱自在な複数種類の内視鏡用モジュール６で主に構成されている。
【００１３】
前記内視鏡２は、細長で可撓性を有する挿入部１１と、この挿入部１１の基端部に連設する操作部１２と、この操作部１２の側方から延出する可撓性を有するユニバーサルコード１３とで構成されている。前記ユニバーサルコード１３の端部には前記光源装置３に着脱自在に接続されるコネクタ１４が設けられている。このコネクタ１４の側部からは、信号コード１５が延出しており、この信号コード１５が図示しない電気コネクタを介して前記ビデオプロセッサ４に接続されるようになっている。なお、このビデオプロセッサ４には内視鏡画像を表示するモニタ５が接続されている。
【００１４】
前記内視鏡用モジュール６は、弾性を有するエラストマーで略筒状に形成され、連結手段の本体連結手段を構成するモジュール本体７と、このモジュール本体７に処置又は検査の目的により備えられた異なる処置手段とで構成されている。この処置手段には内視鏡２との連結手段の処置具接続手段を構成するモジュール側接続具８が設けられている。
【００１５】
前記処置手段としては例えば、スネア９ａを備えた切開モジュール６Ａや把持部材９ｂを備えた把持モジュール６Ｂ、生検鉗子９ｃを備えた生検モジュール６Ｃ、処置手段としてバスケット型回収具９ｄを備えた回収モジュール６Ｄ、結紮具９ｅを備えた結紮モジュール６Ｅ等が用意されている。
【００１６】
なお、前記モジュール本体７は、高周波を使用する処置時に電流が内視鏡２側に漏れて検査者に漏電することを防止するため、少なくとも本体外表面に絶縁体を設けた構成、又は本体全体を絶縁体である樹脂部材で形成する構成になっている。
【００１７】
前記内視鏡２の挿入部１１の先端には前記内視鏡用モジュール６のモジュール本体７が配置される連結手段の本体連結手段を構成する先端部１６が設けられている。この先端部１６内には前記内視鏡用モジュール６に設けられているモジュール側接続具８と一体的に接続される筒状で連結手段の処置具接続手段を構成する内視鏡側接続具２１が設けられている。この内視鏡側接続具２１の基端部からは伝達ワイヤ２２が延出しており、この伝達ワイヤ２２は挿入部１１内を通って前記操作部１２に設けられている牽引手段である操作ノブ１７に接続されている。
【００１８】
このため、前記モジュール側接続具８と内視鏡側接続具２１とを一体的に接続した状態にして、操作ノブ１７を操作することにより、伝達ワイヤ２２が進退して、先端部１６に配設された内視鏡用モジュール６の処置手段である例えばスネア９ａが操作されるようになっている。
【００１９】
図２（ａ）及び図３，図４に示すように内視鏡用モジュール６のモジュール側接続具８の基端部には雄ネジ部８ａが形成されている。また、モジュール本体７には前記先端部１６に外嵌配置するため前記先端部１６の外径寸法よりも内径寸法を小径にしてモジュール本体７の内周面が先端部１６の外周面に密着するように構成した内部空間部７ａと、前記スネア９ａ，把持鉗子９ｂ，生検鉗子９ｃなどの処置手段を挿通配置する処置具挿通孔７ｂとが長手軸方向に平行に形成されている。
【００２０】
図２（ａ）に示すように内視鏡用モジュール６の１つである切開モジュール６Ａは、先端部に略円形の輪状に形成した切開部３１を備え、後端部に前記モジュール側接続具８を配設したスネア９ａと、前記モジュール本体７に対して進退自在に配置されて前記モジュール側接続具８が進退自在に挿通配置される透孔を有する処置用操作チューブ８ｂと、この処置用操作チューブ８ｂの基端部に先端部が外嵌固定され基端部内周面側に端面から先端側に向かって徐々に細径になるテーパー部を設けた連結部材８ｃとで構成されている。
【００２１】
一方、図２（ｂ）に示すように内視鏡２には前記連結部材８ｃの外形寸法よりやや大径な操作用チャンネル１８が形成されており、この操作用チャンネル１８内に前記内視鏡側接続具２１及び伝達ワイヤ２２を進退自在に挿通配置した操作チューブ２３が進退自在に挿入されるようになっている。また、前記内視鏡側接続具２１の内周面には前記モジュール側接続具８の基端部に形成されている雄ネジ部８ａに螺合する雌ネジ２４が形成されている。また、前記伝達ワイヤ２２及び操作チューブ２３の基端部は、それぞれ前記操作部１２の操作ノブ１７に接続されており、それぞれ独立して進退操作可能になっている。
【００２２】
なお、図３に示すように内視鏡用モジュール６の１つである把持モジュール６Ｂは、処置手段として前記スネア９ａの代わりに、例えば３本の弾性部材３２，３３，３４に把持部３２ａ，３３ａ，３４ａを設け曲がり癖を付けて形成した把持鉗子９ｂを設けて構成されている。なお、弾性部材は３本に限定されるものではなく、３本以上であってもよい。
【００２３】
また、図４に示すように内視鏡用モジュール６の１つである生検モジュール６Ｃは、処置手段として前記スネア９ａの代わりに、一対の鉗子部材３５，３６を回動自在に軸支して形成した生検鉗子９ｃを先端部に設けて構成されている。
【００２４】
図２（ａ），（ｂ）を参照して切開モジュール６Ａを内視鏡２の先端部１６に装着する手順を説明する。
まず、伝達ワイヤ２２の先端に設けられている内視鏡側接続具２１を操作用チャンネル１８内に配置されている操作チューブ２３から突出させるとともに、スネア９ａの後端部に配設したモジュール側接続具８を連結部材８ｃの基端側から突出させる。そして、このモジュール側接続具８の雄ネジ部８ａを前記内視鏡側接続具２１の雌ネジ２４に螺合して、伝達ワイヤ２２とスネア９ａとを一体的に接続する。
【００２５】
次に、前記操作チューブ２３の先端部を切開モジュール６Ａの連結部材８ｃのテーパ部に圧入する。このことにより、前記操作チューブ２３と前記連結部材８ｃとが連結固定される。
【００２６】
次いで、モジュール本体７の内部空間部７ａを内視鏡２の先端部１６に外嵌して圧入固定する。このとき、前記内視鏡２の操作用チャンネル１８とモジュール本体７の処置具挿通孔７ｂの中心軸どうしが一致するように、モジュール本体７を回転させて装着する。
【００２７】
なお、把持モジュール６Ｂ及び生検モジュール６Ｃの内視鏡２との接続方法は、前記切開モジュール６Ａの場合と同様である。また、前記モジュール本体７の先端部１６への固定方法としては、上述した圧入固定に限定されるものではなく、先端部１６とモジュール本体７とを互いに磁性体で形成し、互いの磁力によって吸着固定する方法や、モジュール本体７と先端部１６とをネジによって機械的に固定するなどの方法であってもよい。
【００２８】
図５を参照して前記切開モジュール６Ａを先端部１６に装着した内視鏡２の操作及び作用を説明する。
まず、切開モジュール６Ａを先端部１６に装着した内視鏡２を例えば体腔内に挿入して切開モジュール６Ａを患部近傍に配置する。
【００２９】
次に、切開したい患部３７をスネア９ａの切開部３１内に配置する。続いて、操作ノブ１７を操作し、操作チューブ２３を先端側に突出させるように前進させていく。このことにより、連結部材８ｃとともに処置用操作チューブ８ｂが前方側（患部３７側）に押し出されていくことにより、前記スネア９ａが処置用操作チューブ８ｂ内に引き込まれていく状態になって、切開部３１が患部３７の根本部を締め付けていく状態になる。
【００３０】
この状態で、操作ノブ１７を操作して、今度はスネア９ａを手元側に引き込むように移動させる。すると、スネア９ａが処置用操作チューブ８ｂ内に引き込まれていくことにより、患部３７の根本部が切開部３１によってさらに締め付けられた状態になる。
【００３１】
次いで、この患部３７を切開部３１で締め付けた状態で、切開モジュール６Ａに高周波電流を流す。このことによって、患部３７は根本から切断され、処置が完了する。そして、処置完了後、内視鏡２を体腔内から抜去し、切開モジュール６Ａを内視鏡２から取り外す。
【００３２】
その取り外しの手順は、取り付け時の逆であり、まずモジュール本体７を先端部１６から取り外す。次に、操作チューブ２３と連結部材８ｃとを取り外す。次いで、内視鏡側接続具２１の雌ネジ２４とモジュール側接続具８の雄ネジ部８ａとの螺合を解除する。このことにより、内視鏡２と切開モジュール６Ａとが分離された状態になる。そして、この分離状態で、内視鏡２及び切開モジュール６Ａの洗滌・消毒を行う。
【００３３】
なお、前記把持モジュール６Ｂの操作及び作用は、処置用操作チューブ８ｂを前進させ把持鉗子９ｂを切断された患部や異物等の把持対象物に近づけ弾性部材３２，３３，３４を拡開させて、把持鉗子９ｂを処置用操作チューブ８ｂ内に引き込むことによって拡開していた弾性部材３２，３３，３４を閉じさせることにより、把持対象物を把持鉗子９ｂの把持部３２，３３，３４で取り込み把持するものである。また、前記生検モジュール６Ｃの操作及び作用は、処置用操作チューブ８ｂを前進させ生検鉗子９ｃを患部に近づけ、伝達ワイヤ２２を押し引き操作することによって、一対の鉗子部材３５，３６開状態にした後、閉状態にして患部を取り込むものである。
【００３４】
そして、前記切開モジュール６Ａ及び把持モジュール６Ｂでは、伝達ワイヤ２２を手元側に引き込むことによって、スネア９ａ、把持鉗子９ｂを処置用操作チューブ８ｂ内に収めることができるので、観察中の観察視野内から処置手段を排除して観察能を損なうことがない。また、観察中にスネア９ａ、把持鉗子９ｂを処置用操作チューブ８ｂから突出させることによって、内視鏡用モジュール６の装着状態を必要なときに確認することが可能である。
【００３５】
このように、切開モジュール、把持モジュール、生検モジュール等各種内視鏡用モジュールの構造及び使用方法を同一に構成したことにより、各内視鏡用モジュールを処置或いは検査内容に応じて内視鏡に対して取り付け交換することができる。このことによって、処置或いは検査内容に対応する内視鏡モジュールを選択的に内視鏡に取り付けて検査処置を行えるとともに、使用後は内視鏡用モジューと内視鏡とを分離した状態にして効率よく洗滌や消毒を行え、その後は大きなスペースを取ることなく保管を行える。
【００３６】
図６は本発明の第２実施形態に係る内視鏡用モジュールの外観の構成を示す図である。
各内視鏡用モジュール６Ａ，６Ｂ，６Ｃ，６Ｄ，６Ｅは、処置又は検査の目的により異なる処置手段を有しているので、本実施形態においては図６（ａ）の内視鏡用モジュールの斜視図に示すようにモジュール本体７の側周面に図６（ｂ）のモジュール種類と文字と色との関係の表図に示すようにモジュール種類を示す文字である例えば、把持鉗子９ｂを表す記号ＨＡＪの３文字を実線で示すように明記している。なお、モジュール本体７の側周面に例えば破線に示すように帯状でリング状の指標を設け、この指標の太さや本数の違いによってモジュール種類を表すようにしたり、前記モジュール本体７の側周面又は先端面又は全体面、連結部材８ｃ、前記リング状指標の色を図６（ｂ）に示すようにモジュール種類の違いによって色を変えて着色するようにしてもよい。
【００３７】
このように、内視鏡用モジュールの処置手段の違いによるモジュール種類を、外観表面部の色を変えたり、外観表面に種類を表す文字や記号を明記したりすることによって、処置手段の違いによるモジュールの種類を一見して見分けることができる。このことによって、誤使用が防止される。
【００３８】
また、連結部材に着色する方法以外は、内視鏡用モジュールを内視鏡に装着する以前及び装着後もモジュール種類を一見して認識することができる。
【００３９】
なお、文字や指標は上述に示したもの以外にも、型番や絵文字等、視認できるものであれば形状、向き等を限定するものではない。
【００４０】
図７は本発明の第３実施形態に係る内視鏡用モジュール及び内視鏡の先端部の他の構成を示す説明図である。
図に示すように本実施形態においては内視鏡２の先端部１６の先端面に、操作用チャンネル１８以外の部分である観察光学系の前面に配置された観察窓４１，体腔内を照らす照明光を照射する照明窓４２，汚物の吸引や処置具の挿通を行う処置用チャンネル４３，前記観察窓４１や照明窓４２を洗浄する水や空気を噴出する送気・送水ノズル５１を配置した略Ｄ字形状の凸部５２が設けてある。一方、内視鏡用モジュール６の１つである例えば把持モジュール６Ｂのモジュール本体７の先端面には前記内視鏡２の先端部１６に設けた凸部５２を嵌入する略Ｄ字形状のＤ字開口５３が形成されている。
【００４１】
このため、前記モジュール本体７を先端部１６に装着したとき、前記凸部５２が前記モジュール本体７のＤ字開口５３に嵌入した状態で配置される。このとき、モジュール本体６Ｂの先端面と凸部５２の先端面とが略同一面になる。
なお、前記先端部１６は、少なくとも凸部５２の先端面に絶縁体を設けている。
【００４２】
このように、内視鏡の観察窓や照明窓、送気・送水ノズルを略Ｄ字形状の凸部に配置し、この凸部を内視鏡用モジュールのＤ字開口に配置することによって、観察窓及び照明窓がモジュール本体によって被覆されないので、観察能を損なうことを防止することができる。また、処置用チャンネルがモジュール本体によって被覆されないので吸引や処置効果を損なうことを防止することができる。
【００４３】
図８は本発明の第４実施形態に係る内視鏡用モジュール及び内視鏡の先端部の別の構成を示す説明図である。
図に示すように本実施形態の内視鏡２の先端面には前記操作用チャンネル１８や観察窓４１、照明窓４２、処置用チャンネル４３、送気・送水管路４４が設けられている。一方、内視鏡用モジュール６の１つである例えば把持モジュール６Ｂのモジュール本体７の先端面には前記観察窓４１に対向する位置に観察窓被覆透明部材４６が、前記照明窓４２に対向する位置に照明窓被覆透明部材４７が、前記処置用チャンネル４３に対応する処置用チャンネル開口部４８が設けてある。また、このモジュール本体７には前記送気・送水管路４４に対向する位置に送気・送水ノズル５０が設けられており、この送気・送水ノズル５０から噴出される空気や水によって前記観察窓被覆透明部材４６や前記照明窓被覆透明部材４７の表面を洗浄することができるようになっている。なお、符号４９は前記照明窓被覆透明部材４７の外周面を覆う遮光部である。
【００４４】
このように構成されたモジュール本体７を先端部１６に装着することにより、前記モジュール本体７に設けた観察窓被覆透明部材４６及び前記照明窓被覆透明部材４７が前記内視鏡２の先端面に配置されている観察窓４１及び照明窓４２の前面に配置されるとともに、モジュール本体７の処置用チャンネル開口部４８と内視鏡２の先端面に開口している処置用チャンネル４３とが連通するとともに、送気・送水ノズル５０と送気・送水管路４４とが連通する。
【００４５】
このように、内視鏡の先端部の先端面が内視鏡用モジュールのモジュール本体によって被覆されるので、先端部を絶縁部材で形成することなく、前記モジュール本体で絶縁することができる。このことにより、先端部の加工性を良好にする構成になる。
【００４６】
また、観察窓被覆透明部材で観察窓を覆い、照明窓被覆透明部材で照明窓を覆ったことにより、モジュール本体で先端部を覆うことによって、観察能が損なれることを防止することができる。
【００４７】
さらに、照明窓被覆透明部材の外周に遮光部を設けたことにより、余分な照明光をカットすることができる。このことによって、フレア等の観察能を低下させる現象の発生が防止される。その他の作用及び効果は前記第３実施形態と同様である。
【００４８】
なお、本実施形態においては内視鏡２の先端面に操作用チャンネル１８と処置用チャンネル４３とを設けているが、図９に示すよう前記操作用チャンネル１８と前記処置用チャンネル４３とを兼用する構成であってもよい。つまり、前記モジュール本体７に処置手段を取り付けていない状態のとき、処置具挿通孔７ｂ及び操作用チャンネル１８を処置具を挿通する処置用チャンネルや吸引用チャンネルとして使用する。このことにより、モジュール本体を７を先端部１６に装着するタイプの内視鏡２の挿入部１１内に配置する内蔵物を少なくして挿入部の細径化を実現することができる。
【００４９】
また、前記操作用チャンネル１８の径寸法を予め大きめに設定して処置手段と操作用チャンネル１８との間に間隙を設ける構成にすることにより処置手段を取り付けた状態でこの操作用チャンネル１８を利用して吸引を行うことが可能になる。
【００５０】
図１０及び図１１は本発明の第５実施形態に係り、図１０は内視鏡用モジュールのまた他の構成を示す説明図、図１１は本実施形態の作用を示す図である。
図１０に示すように本実施形態においては内視鏡用モジュール６の１つである例えば把持モジュール６Ｃのモジュール本体７の側周面にバルーン５５を設けている。このバルーン５５は、薄肉のエラストマーを略円筒形状に形成したものであり、両端部を糸巻き接着部５６によってモジュール本体７の外周面に一体的に固定している。また、このモジュール本体７には前記バルーン５５の内面に連通する送気用孔５７が設けてある。この送気用孔５７の後端面には前記内視鏡２に設けられている送気・送水管路４４に着脱自在な送気口金５８が設けられている。
【００５１】
このため、モジュール本体７を先端部１６に装着した状態で、内視鏡２の送気・送水管路４４を介して、バルーン５５内に送気を行うことによって、図１１に示すようにバルーン５５が膨らんで、体腔内で内視鏡２が保持固定されて、患部３７の生検を安定した状態で行える。
【００５２】
このように、内視鏡用モジュールの外周面にバルーンを設け、体腔内の所望の位置でバルーンを膨らませることによって、内視鏡を体腔内で保持固定されて検査及び処置を確実に行うことができる。このことによって、処置及び検査を確実かつ速やかに行える。
【００５３】
なお、本発明は、以上述べた実施形態のみに限定されるものではなく、発明の要旨を逸脱しない範囲で種々変形実施可能である。
【００５４】
［付記］
以上詳述したような本発明の上記実施形態によれば、以下の如き構成を得ることができる。
【００５５】
（１）処置手段を備えた内視鏡用モジュールと、この内視鏡用モジュールを内視鏡挿入部の先端部に着脱自在に取り付け可能な内視鏡とを有する内視鏡システムにおいて、
前記内視鏡用モジュールは、異なる処置手段を備え、
異なる処置手段を備えた複数の内視鏡用モジュールは、前記内視鏡の挿入部先端部に連結手段を介して交換自在である内視鏡システム。
【００５６】
（２）前記処置手段の異なる複数の内視鏡用モジュールは、同一の連結手段によって、前記内視鏡の挿入部先端部に配置される付記１記載の内視鏡システム。
【００５７】
（３）前記連結手段は、形状及び寸法が同一である付記２記載の内視鏡システム。
【００５８】
（４）前記連結手段は、材質が同一である付記２記載の内視鏡システム。
【００５９】
（５）前記連結手段は、内視鏡と内視鏡用モジュールとを一体に連結する本体連結手段と、内視鏡用モジュールの処置手段と内視鏡の操作手段と接続する処置具接続手段とを備える付記２記載の内視鏡システム。
【００６０】
（６）前記内視鏡は、操作部に牽引手段を有し、
この牽引手段と前記処置具接続手段とが伝達ワイヤによって接続されている付記５記載の内視鏡システム。
【００６１】
（７）複数の内視鏡用モジュールに識別手段を設けた付記２記載の内視鏡システム。
【００６２】
（８）前記識別手段は、内視鏡モジュールの外観上の識別可能な位置に設けた付記７記載の内視鏡システム。
【００６３】
（９）前記識別手段は、内視鏡モジュールを内視鏡に取り付けた状態で、外観上識別可能である付記８記載の内視鏡システム。
【００６４】
（１０）前記識別手段は、内視鏡用モジュールの外観の少なくとも一部に設けた色指標である付記７記載の内視鏡システム。
【００６５】
（１５）前記識別手段は、外観に記載した識別記号である付記７記載の内視鏡システム。
【００６６】
（１６）前記内視鏡用モジュールは、内視鏡の観察視野内において観察可能な位置に移動可能である付記２記載の内視鏡システム。
【００６７】
（１７）前記内視鏡用モジュールは、前記内視鏡の先端部全体を被覆する付記２記載の内視鏡システム。
【００６８】
（１８）前記内視鏡用モジュールで前記内視鏡の先端部全体を被覆したとき、前記内視鏡の先端面に配置されている観察窓、照明窓、処置用チャンネル、送気・送水ノズルが露出する付記１７記載の内視鏡システム。
【００６９】
（１９）前記内視鏡用モジュールで前記内視鏡の先端部全体を被覆したとき、前記内視鏡の先端面に配置されている観察窓、照明窓が窓被覆透明部材で覆われる付記１７記載の内視鏡システム。
【００７０】
（２０）前記内視鏡用モジュールは、前記内視鏡の処置用チャンネルに対向する位置に非被覆開口部を有する付記１７記載の内視鏡システム。
【００７１】
（２１）前記内視鏡は、内視鏡先端部に凸部を有し、この凸部に観察窓、照明窓、送気・送水ノズル、処置用チャンネルを設けた付記１８記載の内視鏡システム。
【００７２】
（２２）前記凸部は、前記内視鏡用モジュールに形成した開口部に嵌入する付記２１記載の内視鏡システム。
【００７３】
（２３）前記内視鏡用モジュールは送気・送水ノズルを有する付記１８記載の内視鏡システム。
【００７４】
（２４）前記凸部を電気的に絶縁した付記２１記載の内視鏡システム。
【００７５】
（２５）前記内視鏡用モジュールの照明窓被覆透明部材の周囲に遮光部を設けた付記１８記載の内視鏡システム。
【００７６】
（２６）前記遮光部はリング状である付記２５記載の内視鏡システム。
【００７７】
（２７）前記内視鏡用モジュールの一部は絶縁部である付記２記載の内視鏡システム。
【００７８】
（２８）前記内視鏡用モジュールの外周を絶縁部とした付記２記載の内視鏡システム。
【００７９】
（２９）前記内視鏡用モジュールは、内視鏡を体腔内に保持固定する固定手段を有する付記２記載の内視鏡システム。
【００８０】
（３０）前記固定手段は、バルーンである付記２９記載の内視鏡システム。
【００８１】
【発明の効果】
以上説明したように本発明によれば、様々な処置具を備えて構成された内視鏡用モジュールを１つの内視鏡に取り付けて使用することが可能で、処置具の破損を防止し、内視鏡下での操作が容易で、小さなスペースで保管が可能な内視鏡システムを提供することができる。
【図面の簡単な説明】
【図１】図１ないし図５は本発明の第１実施形態に係り、図１は内視鏡システムの概略構成を示す説明図
【図２】内視鏡用モジュールの１つである切開モジュールを示す説明図
【図３】内視鏡用モジュールの１つである把持モジュールを示す説明図
【図４】内視鏡用モジュールの１つである生検モジュールを示す説明図
【図５】生検モジュールの作用の１例を示す説明図
【図６】本発明の第２実施形態に係る内視鏡用モジュールの外観の構成を示す図
【図７】本発明の第３実施形態に係る内視鏡用モジュール及び内視鏡の先端部の他の構成を示す説明図
【図８】本発明の第４実施形態に係る内視鏡用モジュール及び内視鏡の先端部の別の構成を示す説明図
【図９】内視鏡用モジュール及び内視鏡の先端部のまた他の構成を示す説明図
【図１０】図１０及び図１１は本発明の第５実施形態に係り、図１０は内視鏡用モジュールのまた他の構成を示す説明図
【図１１】本実施形態の作用を示す図
【符号の説明】
６…内視鏡用モジュール
７…モジュール本体
８…モジュール側接続具
２１…内視鏡側接続具
【図１】
0003806516.tif 000002
【図２】
0003806516.tif 000003
【図３】
0003806516.tif 000004
【図４】
0003806516.tif 000005
【図５】
0003806516.tif 000006
【図６】
0003806516.tif 000007
【図７】
0003806516.tif 000008
【図８】
0003806516.tif 000009
【図９】
0003806516.tif 000010
【図１０】
0003806516.tif 000011
【図１１】
0003806516.tif 000012